(57)【要約】      （修正有）【課題】低電力状態とジョブ実行可能状態とで、ユーザの意向に沿った電力状態を設定することができる画像形成装置を提供する。【解決手段】ＣＰＵは、低電力状態における電力モードをスリープモードから節電モードへと切り替える場合には、それと併せて、ジョブ実行可能状態における電力モードをエコ復帰ＯＮモードからエコ復帰ＯＦＦモードへと切り替える。また、ＣＰＵは、ジョブ実行可能状態における電力モードをエコ復帰ＯＦＦモードからエコ復帰ＯＮモードへと切り替える場合には、それと併せて、低電力状態における電力モードを節電モードからスリープモードへと切り替える。その結果、節電モードとエコ復帰ＯＦＦモードとの組み合わせ、または、スリープモードとエコ復帰ＯＮモードとの組み合わせ、のいずれかとなるよう電力モードが設定される。【選択図】図７
2016068521.tif 000002
【特許請求の範囲】
【請求項１】
ジョブの実行の際に動作する複数のデバイスと、
ジョブ実行可能状態における電力モードと前記ジョブ実行可能状態よりも消費電力の少ない低電力状態における電力モードとをそれぞれ設定する設定手段と、
実行するジョブを決定する決定手段と、を有し、
前記低電力状態における電力モードとして、所定のデバイスの電源をオンに維持する第１のモードと、前記所定のデバイスの電源をオフに維持する第２のモードとがあり、
前記ジョブ実行可能状態における電力モードとして、前記所定のデバイスの電源をオフに維持した状態で、実行するジョブが前記決定手段により決定されると前記所定のデバイスのうち前記決定されたジョブに応じたデバイスの電源をオンにする第３のモードと、前記所定のデバイスの電源をオンに維持する第４のモードとがあり、
前記設定手段は、前記低電力状態と前記ジョブ実行可能状態とにおける電力モードを組み合わせて設定する場合、前記第１のモードと前記第４のモードとの組み合わせ、または、前記第２のモードと前記第３のモードとの組み合わせ、のいずれかとなるよう電力モードを設定することを特徴とする画像形成装置。
【請求項２】
前記設定手段は、前記第２のモードと前記第３のモードとが設定されている状態で、ユーザからの切り替え指示に基づき前記低電力状態における電力モードを前記第２のモードから前記第１のモードへと切り替える場合には、それと併せて、前記ジョブ実行可能状態における電力モードを前記第３のモードから前記第４のモードへと切り替えることを特徴とする請求項１に記載の画像形成装置。
【請求項３】
前記設定手段は、前記第２のモードから前記第１のモードへと切り替えるタイミングで、前記第３のモードから前記第４のモードへと切り替える旨を報知することを特徴とする請求項２に記載の画像形成装置。
【請求項４】
前記設定手段は、前記第１のモードと前記第４のモードとが設定されている状態で、ユーザからの切り替え指示に基づき前記ジョブ実行可能状態における電力モードを前記第４のモードから前記第３のモードへと切り替える場合には、それと併せて、前記低電力状態における電力モードを前記第１のモードから前記第２のモードへと切り替えることを特徴とする請求項１〜３のいずれか１項に記載の画像形成装置。
【請求項５】
前記設定手段は、前記第４のモードから前記第３のモードへと切り替えるタイミングで、前記第１のモードから前記第２のモードへと切り替える旨を報知することを特徴とする請求項４に記載の画像形成装置。
【請求項６】
前記所定のデバイスには、プリンタ、スキャナまたはファクシミリの少なくとも１つの機能を有するものが含まれることを特徴とする請求項１〜５のいずれか１項に記載の画像形成装置。
【請求項７】
ジョブの実行の際に動作する複数のデバイスを有し、ジョブ実行可能状態における電力モードと前記ジョブ実行可能状態よりも消費電力の少ない低電力状態における電力モードとをそれぞれ設定する画像形成装置の制御方法であって、
前記低電力状態における電力モードとして、所定のデバイスの電源をオンに維持する第１のモードと、前記所定のデバイスの電源をオフに維持する第２のモードとがあり、
前記ジョブ実行可能状態における電力モードとして、前記所定のデバイスの電源をオフに維持した状態で、実行するジョブが決定されると前記所定のデバイスのうち前記決定されたジョブに応じたデバイスの電源をオンにする第３のモードと、前記所定のデバイスの電源をオンに維持する第４のモードとがあり、
前記低電力状態と前記ジョブ実行可能状態とにおける電力モードを組み合わせて設定する場合、前記第１のモードと前記第４のモードとの組み合わせ、または、前記第２のモードと前記第３のモードとの組み合わせ、のいずれかとなるよう電力モードを設定することを特徴とする画像形成装置の制御方法。
【請求項８】
前記第２のモードと前記第３のモードとが設定されている状態で、ユーザからの切り替え指示に基づき前記低電力状態における電力モードを前記第２のモードから前記第１のモードへと切り替える場合には、それと併せて、前記ジョブ実行可能状態における電力モードを前記第３のモードから前記第４のモードへと切り替えることを特徴とする請求項７に記載の画像形成装置の制御方法。
【請求項９】
前記第２のモードから前記第１のモードへと切り替えるタイミングで、前記第３のモードから前記第４のモードへと切り替える旨を報知することを特徴とする請求項８に記載の画像形成装置の制御方法。
【請求項１０】
前記第１のモードと前記第４のモードとが設定されている状態で、ユーザからの切り替え指示に基づき前記ジョブ実行可能状態における電力モードを前記第４のモードから前記第３のモードへと切り替える場合には、それと併せて、前記低電力状態における電力モードを前記第１のモードから前記第２のモードへと切り替えることを特徴とする請求項７〜９のいずれか１項に記載の画像形成装置の制御方法。
【請求項１１】
前記第４のモードから前記第３のモードへと切り替えるタイミングで、前記第１のモードから前記第２のモードへと切り替える旨を報知することを特徴とする請求項１０に記載の画像形成装置の制御方法。
【請求項１２】
前記所定のデバイスには、プリンタ、スキャナまたはファクシミリの少なくとも１つの機能を有するものが含まれることを特徴とする請求項７〜１１のいずれか１項に記載の画像形成装置の制御方法。
【請求項１３】
請求項７〜１２のいずれか１項に記載の画像形成装置の制御方法をコンピュータに実行させることを特徴とするプログラム。
【発明の詳細な説明】
【技術分野】
【０００１】
本発明は、複数の電力状態を有する画像形成装置における電力制御の技術に関する。
【背景技術】
【０００２】
従来、画像形成装置においては、動作しない場合の消費電力を小さくする目的で、ジョブ実行状態やジョブ実行可能状態とは異なる「低電力状態」という電力状態を有する。低電力状態からジョブ実行可能状態へ復帰するためには各デバイスの初期化処理が必要になる。デバイスによっては初期化処理に時間が長くかかるものがある。そのため、従来、いくつか状態の異なる低電力状態を設け、デバイスの初期化の処理時間に合わせた状態を設定することができる画像形成装置も知られている。具体的には、低電力状態において、初期化処理に長く時間のかかるデバイスの電源は落とさず、素早く復帰できるデバイスのみ電源を落とす。これにより、通常の低電力状態と比し消費電力は大きくなるものの、ジョブ実行可能状態への復帰を早めることができる。その結果、ユーザは低電力状態の画像形成装置から、印刷等の出力結果を迅速に取得することができる。
【０００３】
また特許文献１には、消費電力を下げる目的で、ジョブ実行可能状態でもデバイスの電源を落とす技術が記載されている。これは、操作者がジョブの実行指示をした際に、ジョブに必要なデバイスに電源を入れるという技術である。
【先行技術文献】
【特許文献】
【０００４】
【特許文献１】特開２００１−２０１９８６号公報
【発明の概要】
【発明が解決しようとする課題】
【０００５】
しかしながら、特許文献１では、ジョブを実行する際にデバイスの初期化を行うため、ジョブ実行までの時間は長くかかる。すなわち、特許文献１では、ジョブ実行までの時間短縮よりもジョブ実行可能状態において省電力を図ることに重きをおいている。一方、上述したような、低電力状態において、初期化処理時間の長いデバイスの電源はオンに維持し、初期化処理時間の短いデバイスはオフにする技術は、低電力状態において省電力を図ることよりもジョブ実行までの時間短縮に重きをおいている。
【０００６】
従って、これら双方の技術を画像形成装置に共に実装しようとすると、低電力状態での時間短縮とジョブ実行可能状態での省電力という、２つの目的が相反する結果となり、ユーザの意図に沿った電力制御を的確に行えない可能性がある。
【０００７】
本発明は上記従来技術の問題を解決するためになされたものであり、その目的は、低電力状態とジョブ実行可能状態とで、ユーザの意向に沿った電力状態を設定することにある。
【課題を解決するための手段】
【０００８】
上記目的を達成するために本発明は、ジョブの実行の際に動作する複数のデバイスと、ジョブ実行可能状態における電力モードと前記ジョブ実行可能状態よりも消費電力の少ない低電力状態における電力モードとをそれぞれ設定する設定手段と、実行するジョブを決定する決定手段と、を有し、前記低電力状態における電力モードとして、所定のデバイスの電源をオンに維持する第１のモードと、前記所定のデバイスの電源をオフに維持する第２のモードとがあり、前記ジョブ実行可能状態における電力モードとして、前記所定のデバイスの電源をオフに維持した状態で、実行するジョブが前記決定手段により決定されると前記所定のデバイスのうち前記決定されたジョブに応じたデバイスの電源をオンにする第３のモードと、前記所定のデバイスの電源をオンに維持する第４のモードとがあり、前記設定手段は、前記低電力状態と前記ジョブ実行可能状態とにおける電力モードを組み合わせて設定する場合、前記第１のモードと前記第４のモードとの組み合わせ、または、前記第２のモードと前記第３のモードとの組み合わせ、のいずれかとなるよう電力モードを設定することを特徴とする。
【発明の効果】
【０００９】
本発明によれば、低電力状態とジョブ実行可能状態とで、ユーザの意向に沿った電力状態を設定することができる。
【図面の簡単な説明】
【００１０】
【図１】本発明の一実施の形態に係る画像形成装置のブロック図である。
【図２】電力モード設定画面の例を示す図である。
【図３】スリープモード時（図（ａ））、節電モード時（図（ｂ））の通電状態を示すブロック図である。
【図４】エコ復帰ＯＮモード時における機能選択画面の例を示す図である。
【図５】低電力状態における電力モードの切り替え処理を示すフローチャートである。
【図６】ジョブ実行可能状態における電力モードの切り替え処理を示すフローチャートである。
【図７】モード切り替えを報知する画面の一例である。
【発明を実施するための形態】
【００１１】
以下、本発明の実施の形態を図面を参照して説明する。
【００１２】
図１は、本発明の一実施の形態に係る画像形成装置のブロック図である。この画像形成装置１０００は、例えば、スキャナ機能、プリンタ機能及びファクシミリ機能を有する複合機として構成される。画像形成装置１０００は、モジュールとしてコントローラ１を有し、コントローラ１はメインボード１００とサブボード１２０とから構成される。
【００１３】
メインボード１００は、いわゆる汎用的なＣＰＵシステムである。メインボード１００は、ボード全体を制御するＣＰＵ１０１、外部機器とネットワークを通して通信を行うＬＡＮコントローラ１０２、ＣＰＵ１０１がワークメモリとして使用するメモリ１０３を有する。メインボード１００はまた、外部バスとのブリッジ機能を持つバスコントローラ１０４、電源遮断された場合でも消えない不揮発メモリ１０５、電源が切られても電池で時間を保持し続けることができるＲＴＣ１１０を有する。メインボード１００はまた、ストレージ装置を制御するディスクコントローラ１０６、半導体デバイスで構成された比較的小容量のＳＳＤ等のストレージ装置であるフラッシュディスク１０７、ＵＳＢを制御するＵＳＢコントローラ１０８等を有する。
【００１４】
メインボード１００には、ＵＳＢメモリ９、操作部５、ハードディスク装置６が接続される。不揮発デバイスであればハードディスク装置６以外の記憶装置を採用してもよい。操作部５は、各種の操作をユーザから受け付けるもので、操作部５には低電力移行復帰ボタン５ａが含まれる。操作部５にはまた画面表示を行う表示部が含まれる。
【００１５】
サブボード１２０は、比較的小さな汎用ＣＰＵシステムと画像処理ハードウェアとから構成される。サブボード１２０は、ボード全体を制御するＣＰＵ１２１、ＣＰＵ１２１がワークメモリとして使用するメモリ１２３、外部バスとのブリッジ機能を持つバスコントローラ１２４、ウォッチドッグタイマ１２５を有する。サブボード１２０はまた、リアルタイムデジタル画像処理を行う画像処理プロセッサ１２７、デバイスコントローラ１２６Ａ、１２６Ｂを有する。プリンタ装置４、スキャナ装置２はそれぞれ、デバイスコントローラ１２６Ａ、１２６Ｂを介して画像処理プロセッサ１２７とデジタル画像データの受け渡しを行う。ＦＡＸ装置７はＣＰＵ１２１が直接制御する。
【００１６】
メインボード１００とサブボード１２０の電力は電源装置８から供給される。電力制御部１０９、１２８は、それぞれメインボード１００、サブボード１２０における電力が必要な各部への給電を管理する。電源スイッチ１０は、ユーザの電源ＯＦＦ、ＯＮの操作を受け付けるもので、電源スイッチ１０が操作されるとＣＰＵ１０１へ割り込みが入る。ＣＰＵ１０１は割り込みを検知すると、そのときの状態に合わせて電力制御部１０９を制御する。また、ＣＰＵ１２１は、バスコントローラ１０４、１２４を介して電源スイッチ１０の操作を検知し、電力制御部１２８を制御する。
【００１７】
なお、図１はブロック図であるので簡略化されている。例えばＣＰＵ１０１、ＣＰＵ１２１等にはチップセット、バスブリッジ、クロックジェネレータ等のＣＰＵ周辺ハードウェアが多数含まれているが、それらの図示は省略されており、このブロック構成が本発明を制限するものではない。
【００１８】
コントローラ１の動作について、紙デバイスによる画像複写を例に説明する。ユーザが操作部５から画像複写を指示すると、ＣＰＵ１０１がＣＰＵ１２１を介してスキャナ装置２に画像読み取り命令を送る。スキャナ装置２は紙原稿を光学スキャンし、デジタル画像データに変換してデバイスコントローラ１２６Ｂを介して画像処理プロセッサ１２７に入力する。画像処理プロセッサ１２７はＣＰＵ１２１を介してメモリ１２３にＤＭＡ転送を行いデジタル画像データの一時保存を行う。
【００１９】
ＣＰＵ１０１は、デジタル画像データがメモリ１２３に一定量もしくは全て入ったことが確認できると、ＣＰＵ１２１を介してプリンタ装置４に画像出力指示を出す。ＣＰＵ１２１は画像処理プロセッサ１２７にメモリ１２３の画像データの位置を教える。プリンタ装置４からの同期信号に従ってメモリ１２３上の画像データは画像処理プロセッサとデバイスコントローラ１２６Ａを介してプリンタ装置４に送信され、プリンタ装置４にて紙デバイスにデジタル画像データが印刷される。
【００２０】
複数部印刷を行う場合、ＣＰＵ１０１はメモリ１２３の画像データをハードディスク装置６に対して保存させるので、２部目以降はスキャナ装置２から画像をもらわずともプリンタ装置４に画像を送ることが可能である。
【００２１】
図２は、操作部５に表示される電力モード設定画面の例を示す図である。本実施の形態では、画像形成装置１０００の電力モードを複数設定可能である。特に、ジョブ実行可能状態と低電力状態のそれぞれにおける電力モード設定することができる。低電力状態はジョブ実行可能状態よりも消費電力の少ない状態である。低電力状態における電力モードには、節電モード（第１のモード）とスリープモード（第２のモード）とがある。ジョブ実行可能状態における電力モードには、エコ復帰ＯＮモード（第３のモード）とエコ復帰ＯＦＦモード（第４のモード）とがある。
【００２２】
「低電力状態」は、原則として、デバイスの初期化処理を経ないとジョブの処理に移行できない状態である。しかし、低電力状態であっても、ジョブ開始までの時間短縮のため、スリープモードとは別に節電モードが設けられている。節電モードは、スリープモードに比し、印刷等のジョブ処理速度を優先したモードであり、所定のデバイスの電源は、スリープモードではオフ（ＯＦＦ）に維持されるが、節電モードではオン（ＯＮ）に維持される。従って、所定のデバイスについては初期化処理を行うことなく動作を開始させることができる。ここで本実施の形態では、「所定のデバイス」は、プリンタ装置４、スキャナ装置２及びＦＡＸ装置７であるとするが、これらに限定されるものではない。
【００２３】
「ジョブ実行可能状態」とは、原則として、ジョブ実行指示を受け付けると速やかにジョブの処理に移行できる状態であり、一般に、スタンバイ状態と同義である。しかし、ジョブ実行可能状態であっても、省電力と静音性を向上させるために、エコ復帰ＯＦＦモードとは別にエコ復帰ＯＮモードが設けられている。所定のデバイスの電源は、エコ復帰ＯＦＦモードではオフに維持されるが、エコ復帰ＯＮモードではオフに維持された状態で、実行するジョブが決定されるとそのジョブに応じたデバイスの電源がオンにされる。すなわちエコ復帰ＯＮモードは、実行するジョブが確定し、すなわち使用する機能が確定した時点で、必要なデバイスの電源を入れるモードである。
【００２４】
節電モードとエコ復帰ＯＮモードとは、目的が相反する関係にあるので、同時に設定される状態となるのはユーザの意図に沿わない可能性が高い。そこで、コントローラ１は、電力モードの組み合わせとしては、節電モードとエコ復帰ＯＦＦモードとの組み合わせ、または、スリープモードとエコ復帰ＯＮモードとの組み合わせ、のいずれかとなるよう電力モードを設定する。そのための制御は図５〜図７で後述する。
【００２５】
ジョブ実行可能状態で低電力移行復帰ボタン５ａが押下されると、画像形成装置１０００はジョブ実行可能状態から低電力状態へと移行する。また、低電力状態で低電力移行復帰ボタン５ａが押下されると、低電力状態からジョブ実行可能状態へと移行する。
【００２６】
ジョブ実行可能状態から低電力状態へ移行したとき、操作部５の表示部に、図２（ａ）または図２（ｂ）に示す低電力状態時の電力モード設定画面が表示される。図２（ａ）、（ｂ）ではそれぞれ、低電力状態における電力モードとしてスリープモード、節電モードが設定されている状態を示している。これらの画面で、ユーザがスリープまたは節電のボタンを押下すれば、設定状態を切り替えることができ、ＯＫボタンを押下するとその設定状態が確定する。
【００２７】
低電力状態からジョブ実行可能状態へ移行したとき、操作部５の表示部に、図２（ｃ）または図２（ｄ）に示すジョブ実行可能状態時の電力モード設定画面が表示される。図２（ｃ）、（ｄ）ではそれぞれ、エコ復帰ＯＮモード、エコ復帰ＯＦＦモードが設定されている状態を示している。これらの画面で、ＯＮまたはＯＦＦのボタンを押下すれば、設定状態を切り替えることができ、ＯＫボタンを押下するとその設定状態が確定する。ＣＰＵ１０１及び操作部５は、本発明における設定手段に該当する。
【００２８】
図３（ａ）、（ｂ）はそれぞれ、スリープモード時、節電モード時の通電状態を示すブロック図である。少なくとも図３において網掛けとなっていないブロックには、電源が供給されている。
【００２９】
スリープモード時（図３（ａ））には、操作部５の低電力移行復帰ボタン５ａ、ＬＡＮコントローラ１０２に通電される。これらは、低電力状態からの復帰に必要な最低限のハードウェアだからである。一方、節電モード時（図３（ｂ））には、低電力移行復帰ボタン５ａ、ＬＡＮコントローラ１０２のほか、上記した所定のデバイスとしてのプリンタ装置４、スキャナ装置２及びＦＡＸ装置７に通電される。これらのデバイスは、初期化に長い時間がかかるからである。
【００３０】
図４は、エコ復帰ＯＮモード時において操作部５に表示される機能選択画面の例を示す図である。
【００３１】
エコ復帰ＯＮモードに移行すると、図４の機能選択画面が表示される。この機能選択画面にて、使用する機能をユーザが選択したときに、当該選択した機能に対応するデバイスに電力が供給される。使用する機能の決定は、実行するジョブの決定を意味する。ＣＰＵ１０１及び操作部５は、本発明における決定手段に該当する。
【００３２】
例えば、コピーボタン４０１が選択された場合は、コピーを実行するために原稿読取機能、印刷機能の動作が必要となる。そこでコントローラ１は、プリンタ装置４、スキャナ装置２の電源をＯＮにする。スキャンして送信ボタン４０２が選択された場合は、スキャン処理を実行するために、原稿読取機能の動作が必要となる。そこでコントローラ１は、スキャナ装置２の電源をＯＮにする。ＦＡＸボタン４０３が選択された場合は、ＦＡＸ処理を実行するために、原稿読取機能、ＦＡＸ機能の動作が必要となる。そこでコントローラ１は、スキャナ装置２、ＦＡＸ装置７の電源をＯＮにする。保存ファイルの利用ボタン４０４が選択された場合は、印刷機能の動作が必要となる。そこでコントローラ１は、プリンタ装置４の電源をＯＮにする。選択された機能のために動作する必要がないデバイスについては、電源はＯＦＦのままとされる。エコ復帰ＯＦＦモードが設定されている場合は、すべてのデバイスの電源がＯＮとされ、選択した機能に基づく電源制御は行われない。
【００３３】
図５は、低電力状態における電力モードの切り替え処理を示すフローチャートである。この処理は、ジョブ実行可能状態で低電力移行復帰ボタン５ａが押下されて低電力状態へと移行したときに開始され、メインボード１００のＣＰＵ１０１により実行される。
【００３４】
まず、ステップ５０１では、ＣＰＵ１０１は、操作部５に、低電力状態時の電力モード設定画面（図２（ａ）または図２（ｂ））を表示させる。ステップ５０２では、ＣＰＵ１０１は、電力モード設定画面においてスリープモード、節電モードのうち節電モードが選択されたか否かを判別する。その判別の結果、ＣＰＵ１０１は、スリープモードが選択された場合は、何ら設定を変更することなく図５の処理を終了させる。一方、節電モードが選択された場合は、ＣＰＵ１０１は、ステップ５０３で、ジョブ実行可能状態の電力モードとして、エコ復帰ＯＮモードとエコ復帰ＯＦＦモードのうちエコ復帰ＯＮモードが設定状態にあるか否かを判別する。
【００３５】
その判別の結果、エコ復帰ＯＮモードが設定されている場合は、ＣＰＵ１０１は、ステップＳ５０４で、ジョブ実行可能状態における電力モードを、エコ復帰ＯＦＦモードに強制的に切り替えると共に、後述する報知（図７（ａ））を行う。
【００３６】
図７（ａ）は、スリープモードから節電モードに切り替わる場合に、エコ復帰ＯＮモードからエコ復帰ＯＦＦモードに切り替わる旨を報知する画面の一例である。スリープモードから節電モードに切り替わる際、電力モード設定画面は、低電力状態時（図２（ａ）、（ｂ））とジョブ実行可能状態（図２（ｃ）、（ｄ））とで異なり、設定内容がバックグラウンド処理のような形で変更される。そのため、ユーザは変更に気づかない可能性がある。そこでＣＰＵ１０１は、図７（ａ）に示すように、エコ復帰ＯＦＦモードに移行することを、ポップアップ７０１の表示によりユーザに知らせる。
【００３７】
その後、ステップＳ５０５で、ＣＰＵ１０１は、低電力状態における電力モードをスリープモードから節電モードに切り替える。従って、電力モードの設定を変更するタイミングで図７（ａ）の報知が行われる。その後、図５の処理は終了する。
【００３８】
一方、ステップＳ５０３の判別の結果、エコ復帰ＯＦＦモードが設定されている場合は、ＣＰＵ１０１は、エコ復帰ＯＦＦモードについてはそのまま維持して、ステップＳ５０５を実行する。
【００３９】
図６は、ジョブ実行可能状態における電力モードの切り替え処理を示すフローチャートである。この処理は、低電力状態で低電力移行復帰ボタン５ａが押下されてジョブ実行可能状態へと移行したときに開始され、メインボード１００のＣＰＵ１０１により実行される。
【００４０】
まず、ステップ６０１では、ＣＰＵ１０１は、操作部５に、ジョブ実行可能状態の電力モード設定画面（図２（ｃ）または図２（ｄ））を表示させる。ステップ６０２では、ＣＰＵ１０１は、電力モード設定画面においてエコ復帰ＯＮモードとエコ復帰ＯＦＦモードのうちエコ復帰ＯＮモードが選択されたか否かを判別する。その判別の結果、ＣＰＵ１０１は、エコ復帰ＯＦＦモードが選択された場合は、何ら設定を変更することなく図６の処理を終了させる。一方、エコ復帰ＯＮモードが選択された場合は、ＣＰＵ１０１は、ステップ６０３で、低電力状態の電力モードとして、スリープモード、節電モードのうち節電モードが設定状態にあるか否かを判別する。
【００４１】
その判別の結果、節電モードが設定されている場合は、ＣＰＵ１０１は、ステップＳ６０４で、低電力状態における電力モードを、スリープモードに強制的に切り替えると共に、後述する報知（図７（ｂ））を行う。
【００４２】
図７（ｂ）は、エコ復帰ＯＦＦモードからエコ復帰ＯＮモードに切り替わる場合に、節電モードからスリープモードに切り替わる旨を報知する画面の一例である。上述のように、電力モード設定画面は、低電力状態時とジョブ実行可能状態とで異なるため、ユーザは変更に気づかない可能性がある。そこでＣＰＵ１０１は、図７（ｂ）に示すように、スリープモードに移行することを、ポップアップ７０２の表示によりユーザに知らせる。
【００４３】
その後、ステップＳ６０５で、ＣＰＵ１０１は、ジョブ実行可能状態における電力モードをエコ復帰ＯＦＦモードからエコ復帰ＯＮモードに切り替える。従って、電力モードの設定を変更するタイミングで図７（ｂ）の報知が行われる。その後、図６の処理は終了する。一方、ステップＳ６０３の判別の結果、節電モードが設定されている場合は、ＣＰＵ１０１は、節電モードについてはそのまま維持して、ステップＳ６０５を実行する。
【００４４】
本実施の形態によれば、ＣＰＵ１０１は、低電力状態における電力モードをスリープモードから節電モードへと切り替える場合には、それと併せて、ジョブ実行可能状態における電力モードをエコ復帰ＯＮモードからエコ復帰ＯＦＦモードへと切り替える。また、ＣＰＵ１０１は、ジョブ実行可能状態における電力モードをエコ復帰ＯＦＦモードからエコ復帰ＯＮモードへと切り替える場合には、それと併せて、低電力状態における電力モードを節電モードからスリープモードへと切り替える。その結果、節電モードとエコ復帰ＯＦＦモードとの組み合わせ、または、スリープモードとエコ復帰ＯＮモードとの組み合わせ、のいずれかとなるよう電力モードが設定される。これにより、目的が相反するようなモード設定の組み合わせとなることを避け、省電力と時間短縮との整合をとることができる。よって、低電力状態とジョブ実行可能状態とで、ユーザの意向に沿った電力状態を設定することができる。
【００４５】
また、ＣＰＵ１０１は、スリープモードから節電モードに切り替えるタイミングで、エコ復帰ＯＮモードからエコ復帰ＯＦＦモードに移行することを報知する。さらにＣＰＵ１０１は、エコ復帰ＯＦＦモードからエコ復帰ＯＮモードに切り替えるタイミングで、節電モードからスリープモードに移行することを報知する。これらにより、ユーザの指示に伴い連動して切り替わるモードについてもユーザに明確に知らせることができる。
【００４６】
なお、モード切り替えを報知する態様として、ポップアップ表示を例示したが、これに限るものではない。例えば、別途の表示部に表示してもよいし、音声で報知してもよい。
【００４７】
なお、本発明は、ジョブの実行の際に動作する複数のデバイスを有する画像形成装置であれば適用でき、このデバイスは、プリンタ、スキャナまたはファクシミリの機能を有するものに限定されない。
【００４８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００４９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５０】
２  スキャナ装置
４  プリンタ装置
５  操作部
７  ＦＡＸ装置
１０１  ＣＰＵ
【図１】
2016068521.tif 000003
【図２】
2016068521.tif 000004
【図３】
2016068521.tif 000005
【図４】
2016068521.tif 000006
【図５】
2016068521.tif 000007
【図６】
2016068521.tif 000008
【図７】
2016068521.tif 000009